(57)【要約】  【課題】  ユーザーにより行われるスピーカーボックスの組立作業を容易にする。  【解決手段】  ブラケット金具１６の上下２箇所に設けられた取付孔１７，１８からビス３５，３６を挿入して、ブラケット金具１６を表示装置本体１１側の雌ねじに螺着することにより表示装置本体１１の左右端にスピーカーボックス１４，１５を取り付ける構造を有する薄型表示装置において、ブラケット金具１６の先端部の上下２箇所に係合ピン２１，２２を下向きに突設するとともに係合ピン２１，２２が係合される係合孔２４，２５を表示装置本体側の上下２箇所に上向きに形成しておき、スピーカーボックス１４を表示装置本体１１に取り付ける際は、係合ピン２１，２２を係合孔２４，２５に係合してスピーカーボックス１４を表示装置本体１１に仮固定した後に、ブラケット金具１６を表示装置本体１１にビスを用いて本固定する。【選択図】  図３
2006041965.tif 000002
【特許請求の範囲】
【請求項１】
スピーカーボックスを機器本体に着脱自在に取り付ける構造を有する電子機器において、
スピーカーボックスと機器本体との間に前記両者が仮固定されるときには互いに係合し前記両者が本固定されるときは互いに離間する係合手段を設けておき、スピーカーボックスを機器本体に取り付ける際は、前記係合手段を用いてスピーカーボックスを機器本体に仮固定した後に、機器本体を本固定することを特徴とした電子機器。
【請求項２】
スピーカーボックスを機器本体に着脱自在に取り付ける構造を有する電子機器において、
前記スピーカーボックスおよび前記機器本体は、該スピーカーボックスが仮固定されるときには互いに係合し本固定されるときは互いに離間する係合手段と、該スピーカーボックスを仮固定位置から本固定位置へ移動可能とする移動手段とを有し、前記スピーカーボックスを仮固定位置から本固定位置へ移動することで前記係合手段を離間させることを特徴とした電子機器。
【請求項３】
スピーカーボックスを表示装置本体に着脱自在に取り付ける構造を有する薄型表示装置において、
スピーカーボックスと表示装置本体との間に前記両者が仮固定されるときには互いに係合し前記両者が本固定されるときは互いに離間する係合手段を設けておき、スピーカーボックスを表示装置本体に取り付ける際は、前記係合手段を用いてスピーカーボックスを表示装置本体に仮固定した後に、表示装置本体を本固定することを特徴とした薄型表示装置。
【請求項４】
スピーカーボックスを表示装置本体に着脱自在に取り付ける構造を有する薄型表示装置において、
前記スピーカーボックスおよび前記表示装置本体は、該スピーカーボックスが仮固定されるときには互いに係合し本固定されるときは互いに離間する係合手段と、該スピーカーボックスを仮固定位置から本固定位置へ移動可能とする移動手段とを有し、前記スピーカーボックスを仮固定位置から本固定位置へ移動することで前記係合手段を離間させることを特徴とした薄型表示装置。
【請求項５】
スピーカーボックスをスピーカーボックス側に設けられた取付け具を用いて表示装置本体側にビス止めにより取り付ける構造を有する薄型表示装置において、
取付け具の先端部に係合ピンを突設するとともに該係合ピンが係合される係合孔を表示装置本体側に形成しておき、スピーカーボックスを表示装置本体に取り付ける際は、前記係合ピンを前記係合孔に係合してスピーカーボックスを表示装置本体に仮固定した後に、取付け具を表示装置本体にビスを用いて本固定することを特徴とした薄型表示装置。
【請求項６】
左右１対のスピーカーボックスの側面に取付け具を突設しておき、該取付け具の少なくとも上下２箇所に設けられた取付孔からビスを挿入して、前記取付け具を表示装置本体側の雌ねじに螺着することにより表示装置本体の左右端にスピーカーボックスを取り付ける構造を有する薄型表示装置において、
取付け具の先端部の上下２箇所に係合ピンを下向きに突設するとともに該係合ピンが係合される係合孔を表示装置本体側の上下２箇所に上向きに形成しておき、スピーカーボックスを表示装置本体に取り付ける際は、前記係合ピンを前記係合孔に係合してスピーカーボックスを表示装置本体に仮固定した後に、取付け具を表示装置本体にビスを用いて本固定することを特徴とした薄型表示装置。
【請求項７】
請求項６に記載の薄型表示装置において、
上下の前記係合ピンの軸芯および上下の前記係合孔の軸芯をそれぞれ一致させて、前記係合ピンが前記係合孔にそれぞれ係合された仮固定の状態で、取付け具およびスピーカーボックスを前記係合ピンを中心にして水平方向の回動を可能に支持したことを特徴とする薄型表示装置。
【請求項８】
請求項６または７に記載の薄型表示装置において、
本固定用のビスが挿入される取付け具の取付孔の前面縁部分を管状に突設して嵌合凸部を形成するとともに、本固定用のビスが螺合される表示装置本体側の雌ねじ穴の縁部分に前記嵌合凸部の嵌合が可能な嵌合凹部を形成し、かつ該嵌合凹部の内面下部に軸方向外側が下降する傾斜面を形成しておき、表示装置本体に取付け具が仮固定された後、前記嵌合凸部を前記嵌合凹部の傾斜面に当接または近傍に保持した状態で取付け具の取付孔から表示装置本体側の雌ねじ穴にビスを螺挿し、ビスを締め込むに従い前記嵌合凸部が前記傾斜面を摺動して上昇することにより、取付け具が上昇して、前記係合ピンを前記係合孔から離間させることを特徴とした薄型表示装置。
【請求項９】
請求項５乃至８のいずれかに記載の薄型表示装置において、
取付け具を表示装置本体に本固定するビスの頭部の下に、ゴム板からなる防振スペーサーを挟着したことを特徴とする薄型表示装置。
【発明の詳細な説明】
【技術分野】
【０００１】
本発明は、スピーカーボックスの着脱が容易な電子機器におけるスピーカーボックスの取付けに関する技術であり、特にスピーカー振動が表示面に影響を及ぼす可能性のある薄型表示装置に採用して効果の大きい技術である。
【背景技術】
【０００２】
近年、液晶テレビ等の薄型表示装置では、画面が大型化される傾向にある。画面の大型化すなわち薄型表示装置の外形が大きくなるに従い、商品輸送のために梱包したときの外形寸法が大きくなり、輸送時の取り扱いが大変であった。特に、サイドスピーカー型の大型画面の薄型表示装置では、同サイズのアンダースピーカー型の薄型表示装置よりもスピーカーの分、横幅が大きくなり、その分、輸送時の才数や取り扱い上の注意などが課題となる。そのため、サイドスピーカー型の大型画面の薄型表示装置では、工場出荷時に、左右のスピーカーボックスを取り外して梱包しておき、それを購入したユーザーや配送した電気店の店員等が、スピーカーボックスを取り付けるという方法をとることがあった。その場合は、スピーカーボックスの薄型表示装置本体への取付部分の構造がなるべく簡単であって、ユーザーが行う場合には特にその組立作業が簡単であることが必要であった。
【０００３】
図１４は、従来の薄型表示装置本体へスピーカーボックスを取り付ける構造の一例を示すものであり、装置本体１の端部の背面側上下方向中央部分に、雌ねじ穴を設けておき、その雌ねじ穴に、スピーカーボックス２の側面に突設された取付け具であるブラケット金具３の取付孔を合わせておいて、ブラケット金具３の取付孔からビス４を挿入してねじ込むことで、ブラケット金具３を装置本体１に締結し、さらにそのブラケット金具３の上面にブラケットカバー５をビス止めして、スピーカーボックス２を組み立てていた。
なお、これ以外に、テレビジョン受像機にスピーカーボックスをユーザーが組み立てる従来技術としては、特許文献１に記載の「テレビジョン受像機の成形キャビネット」が知られている。
【特許文献１】特開平５−３０４４６号公報
【発明の開示】
【発明が解決しようとする課題】
【０００４】
上述したように、図１４に示された組立構造の場合は、組立作業の際に、一方の手でスピーカーボックスを支えながら位置合わせをして、他方の手でビスを挿入する手順で行われるため、やりにくい作業であり、薄型表示装置を購入したユーザーにとっては、大変煩わしいことであった。また、特許文献１に記載のテレビジョン受像機は、スピーカーボックスからの振動が表示装置本体側に伝達されるという課題があった。
そこで、本発明は、大型画面であって特にサイドスピーカー型の液晶テレビ等の薄型表示装置において、スピーカーボックスをユーザーが組み立てるようにした場合の組立作業を簡単にし、同時に、スピーカーボックスの振動が本体側に伝わりにくくすることを目的とした。
【課題を解決するための手段】
【０００５】
上記課題を解決するために、本発明は、スピーカーボックスを機器本体に着脱自在に取り付ける構造を有する電子機器において、スピーカーボックスと機器本体との間に前記両者が仮固定されるときには互いに係合し前記両者が本固定されるときは互いに離間する係合手段を設けておき、スピーカーボックスを機器本体に取り付ける際は、前記係合手段を用いてスピーカーボックスを機器本体に仮固定した後に、機器本体を本固定することを特徴とした。
【０００６】
また、本発明は、スピーカーボックスを機器本体に着脱自在に取り付ける構造を有する電子機器において、前記スピーカーボックスおよび前記機器本体は、該スピーカーボックスが仮固定されるときには互いに係合し本固定されるときは互いに離間する係合手段と、該スピーカーボックスを仮固定位置から本固定位置へ移動可能とする移動手段とを有し、前記スピーカーボックスを仮固定位置から本固定位置へ移動することで前記係合手段を離間させることを特徴とした。
【０００７】
また、本発明は、スピーカーボックスを表示装置本体に着脱自在に取り付ける構造を有する薄型表示装置において、スピーカーボックスと表示装置本体との間に前記両者が仮固定されるときには互いに係合し前記両者が本固定されるときは互いに離間する係合手段を設けておき、スピーカーボックスを表示装置本体に取り付ける際は、前記係合手段を用いてスピーカーボックスを表示装置本体に仮固定した後に、表示装置本体を本固定することを特徴とした。
【０００８】
また、本発明は、スピーカーボックスを表示装置本体に着脱自在に取り付ける構造を有する薄型表示装置において、前記スピーカーボックスおよび前記表示装置本体は、該スピーカーボックスが仮固定されるときには互いに係合し本固定されるときは互いに離間する係合手段と、該スピーカーボックスを仮固定位置から本固定位置へ移動可能とする移動手段とを有し、前記スピーカーボックスを仮固定位置から本固定位置へ移動することで前記係合手段を離間させることを特徴とした。
【０００９】
また、本発明は、スピーカーボックスをスピーカーボックス側に設けられた取付け具を用いて表示装置本体側にビス止めにより取り付ける構造を有する薄型表示装置において、取付け具の先端部に係合ピンを突設するとともに該係合ピンが係合される係合孔を表示装置本体側に形成しておき、スピーカーボックスを表示装置本体に取り付ける際は、前記係合ピンを前記係合孔に係合してスピーカーボックスを表示装置本体に仮固定した後に、取付け具を表示装置本体にビスを用いて本固定することを特徴とした。
【００１０】
また、本発明は、左右１対のスピーカーボックスの側面に取付け具を突設しておき、該取付け具の少なくとも上下２箇所に設けられた取付孔からビスを挿入して、前記取付け具を表示装置本体側の雌ねじに螺着することにより表示装置本体の左右端にスピーカーボックスを取り付ける構造を有する薄型表示装置において、取付け具の先端部の上下２箇所に係合ピンを下向きに突設するとともに該係合ピンが係合される係合孔を表示装置本体側の上下２箇所に上向きに形成しておき、スピーカーボックスを表示装置本体に取り付ける際は、前記係合ピンを前記係合孔に係合してスピーカーボックスを表示装置本体に仮固定した後に、取付け具を表示装置本体にビスを用いて本固定することを特徴とした。ここで、上下の前記係合ピンの軸芯および上下の前記係合孔の軸芯をそれぞれ一致させて、前記係合ピンが前記係合孔にそれぞれ係合された仮固定の状態で、取付け具およびスピーカーボックスを前記係合ピンを中心にして水平方向の回動を可能に支持することが好ましい。
【００１１】
また、本固定用のビスが挿入される取付け具の取付孔の前面縁部分を管状に突設して嵌合凸部を形成するとともに、本固定用のビスが螺合される表示装置本体側の雌ねじ穴の縁部分に前記嵌合凸部の嵌合が可能な嵌合凹部を形成し、かつ該嵌合凹部の内面下部に軸方向外側が下降する傾斜面を形成しておき、表示装置本体に取付け具が仮固定された後、前記嵌合凸部を前記嵌合凹部の傾斜面に当接または近傍に保持した状態で取付け具の取付孔から表示装置本体側の雌ねじ穴にビスを螺挿し、ビスを締め込むに従い前記嵌合凸部が前記傾斜面を摺動して上昇することにより、取付け具が上昇して、前記係合ピンを前記係合孔から離間させることが可能である。なお、取付け具を表示装置本体に本固定するビスの頭部の下に、ゴム板からなる防振スペーサーを挟着することが好ましい。
【発明の効果】
【００１２】
以上述べたように本発明によれば、スピーカーボックスをユーザーが電子機器本体に取り付ける際に、取付け具の先端に突設されている係合ピンを電子機器本体側に形成されている係合孔に係合させてスピーカーボックスを仮固定することにより、本固定のビスの螺着作業が容易に行えるようになる。また、薄型表示装置に採用して特に効果の見られる方法で、表示装置本体側の雌ねじ穴の嵌合凹部に傾斜面を形成して、その傾斜面に沿って取付け具側の嵌合凸部を摺動させることで係合ピンが上昇して係合孔から離間することにより、係合ピンと係合孔を介してスピーカーボックスからの振動が表示装置本体側に伝達されることが解消される。
【発明を実施するための最良の形態】
【００１３】
以下、図に基づいて本発明の実施形態を液晶テレビに適用した場合に関し説明する。図１および図２はサイドスピーカー型の液晶テレビの外観図を示す。図において、１１は液晶テレビ本体であり、スタンド１２により支持されている。液晶テレビ本体１１の前面の液晶パネル１３の左右外側に、スピーカーボックス１４，１５が取り付けられている。本発明では、スピーカーボックス１４，１５を液晶テレビ本体１１に取り付ける際に、先に、スピーカーボックス１４，１５側に設けられた取付け具であるブラケット金具の先端を液晶テレビ本体１１に仮固定した後、ビスを用いてブラケット金具を液晶テレビ本体１１に本固定するようにしたものである。尚、本実施形態においては、取付け具として板金とモールド樹脂を組み合わせて形成されたブラケット金具１６で説明するが、取付け具としては板金や樹脂成型品でも可能である。
【００１４】
図３は、図２の右端側のスピーカーボックス１４を液晶テレビ本体１１に取り付ける部分の構造を示す分解斜視図である。スピーカーボックス１４の上下方向略中間の背面側に、ブラケット金具１６が取り付けられている。このブラケット金具１６は板金とモールド樹脂を組み合わせて形成されている。ブラケット金具１６の上下２箇所には、本固定用のビスが挿入される取付孔１７，１８が形成され、その中間にブラケットカバー（図示せず）を取り付けるための雌ねじ穴１９が形成されている。ブラケット金具１６の先端部には、仮固定の際に使用される係合ピン２１，２２が下向きに突設されている。これら係合ピン２１，２２の軸芯は互いに一致して同一直線上に配置されている。一方、液晶テレビ本体１１側は、背面を構成する樹脂製のキャビネット２３に、ブラケット金具１６の係合ピン２１，２２が係合されるための係合孔２４，２５が上向きに形成されている。同様に、これら係合ピン２１，２２の軸芯は互いに一致して同一直線上に配置されている。尚、取付け具を樹脂成型品で構成する場合は、係合ピンも一体形成することが可能である。
【００１５】
図４は、図３のように形成されたブラケット金具１６の係合ピン２１，２２を、キャビネット２３の係合孔２４，２５に嵌合させた仮固定の状態を示す斜視図である。スピーカーボックス１４は、係合ピン２１，２２が係合孔２４，２５に嵌合されて仮固定される。仮固定された状態では、スピーカーボックス１４の右端（ブラケット金具１６の反対側）を後方に傾けられている。すなわち、スピーカーボックス１４を、本固定の位置よりも水平面上時計回り方向に若干回転させた状態で、係合ピン２１，２２が係合孔２４，２５に嵌合されていて、係合孔２４，２５を中心にしてスピーカーボックス１４の前後方向の回動が可能である。
【００１６】
図５は、図４のブラケット金具１６を仮固定した状態の係合ピン２１，２２と係合孔２４，２５の部分の縦断面図と、取付孔１７，１８部分の縦断面図であり、図６は図５の要部の拡大図である。図５の左側に示されるように、係合ピン２１，２２は、それよりも充分に大きい孔径をした係合孔２４，２５に嵌合されるため、ユーザーによる、スピーカーボックス１４およびブラケット金具１６を保持しながらの係合ピン２１，２２を係合孔２４，２５に嵌合させる仮固定の作業は容易に行える。また、図５の右側に示されるように、ブラケット金具１６の取付孔１７，１８の前面縁部分は、管状に突設されて嵌合凸部２６，２７が形成されるとともに、嵌合凸部２６，２７に対応するキャビネット２３の部分には、嵌合凸部２６，２７が嵌合可能な嵌合凹部２８，２９が形成されている。
【００１７】
嵌合凹部２８，２９の内面下部には、図５および図６に示されるように軸方向外側が下降する傾斜面３１，３２が形成されている。この傾斜面３１，３２は、本固定の際に、図４の矢印に示されるように、スピーカーボックス１４の右端が前方に回動されることでブラケット金具１６がキャビネット２３側へ近づいてきたとき、嵌合凸部２６，２７の中心は、嵌合凹部２８，２９の中心よりも若干下方に位置しており、最初に、嵌合凸部２６，２７の下端が傾斜面３１，３２に当接する。さらに、ブラケット金具１６がキャビネット２３側へ押圧されると、嵌合凸部２６，２７の下端部が傾斜面３１，３２に沿って摺動して上昇して、嵌合凸部２６，２７の中心が嵌合凹部２８，２９の中心に一致し、嵌合凸部２６，２７と嵌合凹部２８，２９が完全に嵌合される。
【００１８】
図７は、図４の状態から、スピーカーボックス１４の右端を前方に回動してブラケット金具１６をキャビネット２３側へ押圧した状態を示す斜視図であり、図８は図７の状態の係合ピン２１，２２と係合孔２４，２５の部分の縦断面図と、取付孔１７，１８部分の縦断面図である。スピーカーボックス１４の右端が前方に回動されてブラケット金具１６がキャビネット２３側へ押圧されて、嵌合凸部２６，２７の下端部が傾斜面３１，３２に沿って摺動して上昇すると、図８の右図に示されるように、嵌合凸部２６，２７の中心が嵌合凹部２８，２９の中心に一致し、嵌合凸部２６，２７と嵌合凹部２８，２９が完全に嵌合される。
【００１９】
また、嵌合凹部２８，２９の中心部分には、透孔３３，３４が形成されて、本固定の際に、図９に示されるように、取付孔１７，１８から挿入されたビス３５，３６の先端を案内して、ビス先端が、透孔３３，３４の内側に配置されているナット３９へ螺合される。ナット３９は、図１０に示されるように、矩形状の板３９ａの片側にボス３９ｂが一体固定されており、ボス３９ｂの部分に雌ねじ３９ｃが形成されている。ナット３９は、板３９ａに形成された取付孔３９ｄにより、キャビネット２３等に固定されている。
【００２０】
また、図８および図１１に示されるように、ビス３５，３６の頭部の下には、ゴム板からなる防振スペーサー３７，３８が接着されており、この防振スペーサー３７，３８がビス３５，３７の頭部とブラケット金具１６との間に挟着されることで、スピーカーボックス１４の振動が、ビス３５，３６を介して、キャビネット２３側へ伝達されることが防止される。同時に、嵌合凸部２６，２７の中心が嵌合凹部２８，２９の中心に一致し、嵌合凸部２６，２７と嵌合凹部２８，２９が完全に嵌合された状態では、図８の左図に示されるように、係合ピン２１，２２は上昇して、係合孔２４，２５の内周面から完全に離間している。それにより、係合ピン２１，２２から係合孔２４，２５を介してスピーカーボックス１４の振動がキャビネット２３側へ伝達されることが防止される。
【００２１】
図１２は、ビス３５，３６が螺着されて、ブラケット金具１６がキャビネット２３に本固定された状態の状態を示す斜視図である。ブラケット金具１６がキャビネット２３に本固定されると、ブラケット金具１６の上面にブラケットカバー４１を被せて、ビス４２を挿入して雌ねじ穴１９に螺着してスピーカーボックス１４の取付作業を終了する。図１３がブラケットカバー４１が取り付けられてスピーカーボックス１４の取付作業が終了した状態の斜視図である。また、スピーカーボックス１４の反対側でのスピーカーボックス１５の取付作業も同様な手順で行われる。
【００２２】
以上のように、本発明では、液晶テレビ本体１１へスピーカーボックス１４等を取り付ける際に、先ず、スピーカーボックス１４側に設けられたブラケット金具１６の先端部の係合ピン２１，２２を、キャビネット２３の係合孔２４，２５に嵌合させて仮固定してから、ブラケット金具１６の取付孔１７，１８へビス３５，３６を挿入して、ブラケット金具１６を液晶テレビ本体１１側のキャビネット２３へ螺着して本固定するようにしたため、取付作業が容易に行える。
【００２３】
また、ブラケット金具１６の仮固定の状態から本固定する際に、スピーカーボックス１４を本来の取付位置まで係合ピン２１，２２を中心にして回動させることで、取付孔１７，１８の先端の嵌合凸部２６，２７が、キャビネット２３側の嵌合凹部２８，２９へ案内されて、スピーカーボックス１４の本固定への位置合わせが自動的に行われるため、面倒な位置合わせ作業が不要になる。さらに、スピーカーボックス１４が本固定された状態では、ブラケット金具１６側の係合ピン２１，２２と、キャビネット２３側の係合孔２４，２５とが、完全に離間されるため、スピーカーボックス１４の振動が係合ピン２１，２２と係合孔２４，２５とを介して伝達されることがない。
【産業上の利用可能性】
【００２４】
本発明は、スピーカーボックスを左右に配置したサイドスピーカー型の薄型表示装置以外に、スピーカーボックスを下部に配置したアンダースピーカー型の薄型表示装置にも利用可能である。
【図面の簡単な説明】
【００２５】
【図１】本発明に係るサイドスピーカー型の液晶テレビの外観図である。
【図２】本発明に係るサイドスピーカー型の液晶テレビの外観図である。
【図３】図２の右端側の構造を示す分解斜視図である。
【図４】図２の右端側の仮固定の状態を示す斜視図である。
【図５】図４の要部を示す縦断面図である。
【図６】図５の要部の拡大図である。
【図７】図２の右端側の仮固定の状態を示す斜視図である。
【図８】図７の要部を示す縦断面図である。
【図９】図２の右端側の仮固定の状態を示す斜視図である。
【図１０】本固定に使用されるナットを示す外観図である。
【図１１】本固定された状態の要部を示す縦断面図である。
【図１２】図２の右端側の本固定の状態を示す斜視図である。
【図１３】図２の右端側の組立を終了した状態を示す斜視図である。
【図１４】従来例を示す分解斜視図である。
【符号の説明】
【００２６】
１１  液晶テレビ本体
１２  スタンド
１３  液晶パネル
１４，１５  スピーカーボックス
１６  ブラケット金具
１７，１８  取付孔
１９  雌ねじ穴
２１，２２  係合ピン
２３  キャビネット
２４，２５  係合孔
２６，２７  嵌合凸部
２８，２９  嵌合凹部
３１，３２  傾斜面
３３，３４  透孔
３５，３６  ビス
３７，３８  防振スペーサー
３９  ナット
３９ａ  板
３９ｂ  ボス
３９ｃ  雌ねじ
３９ｄ  取付孔
４１  ブラケットカバー
４２  ビス
【図１】
2006041965.tif 000003
【図２】
2006041965.tif 000004
【図３】
2006041965.tif 000005
【図４】
2006041965.tif 000006
【図５】
2006041965.tif 000007
【図６】
2006041965.tif 000008
【図７】
2006041965.tif 000009
【図８】
2006041965.tif 000010
【図９】
2006041965.tif 000011
【図１０】
2006041965.tif 000012
【図１１】
2006041965.tif 000013
【図１２】
2006041965.tif 000014
【図１３】
2006041965.tif 000015
【図１４】
2006041965.tif 000016